(57)【要約】【課題】グリッドメッシュに特別な加工等を施すことなく、熱膨張変形によるグリッドメッシュのカソードへの接触を防止できるようにする。【解決手段】カソード６の前面側に間隙を以ってグリッドメッシュ１が配置される電子銃の電極部構造において、円盤状のグリッドメッシュ１の前面の周囲に、グリッドメッシュ１の円環状の補強板１４が環状に配置される状態で、これらをロウ材１８によりロウ付けし、グリッドメッシュ１前面と補強板１４の内周面との間にフィレット１８Ｆを形成する。これにより、フィレット１８Ｆによる内部応力が、グリッドメッシュ１をカソード６から離間する方向へ引き寄せるので、カソード６への接触がなくなる。【選択図】図１
2015170478.tif 000002
【特許請求の範囲】
【請求項１】
カソードの前面側に間隙を以ってグリッドメッシュが配置される電子銃の電極部構造において、
上記グリッドメッシュの前面の周囲に該グリッドメッシュの補強板が環状に配置される状態で、かつ上記グリッドメッシュ前面と上記補強板の内周面との間にフィレットが形成されるように、ロウ材により上記グリッドメッシュの前面と上記補強板を溶接したことを特徴とする電子銃の電極部構造。
【発明の詳細な説明】
【技術分野】
【０００１】
本発明は、グリッドメッシュを備えた電子銃の電極部構造、特に電子銃のカソードの前方に配置されるアノード電極であるグリッドメッシュの保持構造に関する。
【背景技術】
【０００２】
図３には、従来の電子銃の電極部構造が示されており、この電極部では、図３に示されるように、アノード電極（制御電極）である円盤状のグリッドメッシュ１及び円環状の補強板２によりグリッドメッシュ構体３が構成され、このグリッドメッシュ構体３がグリッド溶接リング４とグリッド保持リング５との間に挟持されることで、グリッドメッシュ１がカソード６の前面に所定間隙を以って配置される。また、上記グリッドメッシュ１の前方に、アノード７が配置される。
【０００３】
上記グリッドメッシュ構体３では、グリッドメッシュ１の後面と補強板２の前面とがロウ材を介して接合されており、グリッドメッシュ１の後面がカソード６の前面と対向するよう配置される。また、上記カソード６の後面側には、カソード６を加熱するヒータ８が配置され、これらカソード６とヒータ８は熱を逃がさないよう板金加工で形成された熱遮蔽板９で支持されている。なお、この熱遮蔽板９はスリーブ１０に固定され、上記グリッド保持リング５は、グリッドサポート管１１に固定される。
【０００４】
上記構成によれば、グリッドメッシュ１に印加する電圧により、カソード６からの電子の引出しが制御され、アノード７に更に高い電圧を印加することで、加速された電子が得られる。
【先行技術文献】
【特許文献】
【０００５】
【特許文献１】特開平０６−２０６５６号公報
【特許文献２】特開２００３−５１２８７号公報
【発明の概要】
【発明が解決しようとする課題】
【０００６】
しかしながら、上記電子銃では、カソード６から放出された電子がグリッドメッシュ１に当たり加熱され、更にカソード６からの熱輻射によっても加熱されることにより、グリッドメッシュ１が膨張して変形し、カソード６と接触してしまうという問題があった。
【０００７】
このような問題に対処するものとして、従来、特許文献２があり、この特許文献２では、グリッドメッシュ（１）にアノード側へ突出する直線的なリッジ部等を設け、熱膨張で変形したとしても、グリッドメッシュがアノード方向へ変形することで、カソードとの接触を防ぐようになることが開示されている。
【０００８】
しかし、この特許文献２では、グリッドメッシュ（１）にリッジ部を設ける等、特別な加工を施さなければならないという不都合がある。
【０００９】
また、図３の構成において、グリッドメッシュ１の主面の中に補強棒を入れることにより、このグリッドメッシュ１の変形を抑えることも可能であるが、この場合には、補強棒で電子の流れが乱されるという問題がある。
【００１０】
本発明は上記問題点に鑑みてなされたものであり、その目的は、グリッドメッシュに特別な加工等を施すことなく、熱膨張変形によるグリッドメッシュのカソードへの接触を防止できる電子銃の電極部構造を提供することにある。
【課題を解決するための手段】
【００１１】
上記目的を達成するために、本発明は、カソードの前面側に間隙を以ってグリッドメッシュが配置される電子銃の電極部構造において、上記グリッドメッシュの前面の周囲に該グリッドメッシュの補強板が環状に配置される状態で、かつ上記グリッドメッシュ前面と上記補強板の内周面との間にフィレットが形成されるように、ロウ材により上記グリッドメッシュの前面と上記補強板を溶接したことを特徴とする。
上記ロウ材としては、金ロウが好ましく、上記フィレットはその高さがグリッドメッシュの厚さの１〜１．５倍程度であることが好適である。
【００１２】
上記の構成によれば、グリッドメッシュの前面と補強板の内周面との間に形成されたフィレットにより生じた内部応力が、グリッドメッシュを前方、即ちカソードから離れる方向へ引き寄せることになり、この結果、グリッドメッシュがカソードへ接触しないようになる。
【発明の効果】
【００１３】
本発明の電子銃の電極部構造によれば、グリッドメッシュと補強板の溶接部品において、グリッドメッシュとカソードが離間する方向に内部応力が働くようにしたので、グリッドメッシュに特別な加工を施すことなく、熱膨張変形によるグリッドメッシュのカソードへの接触を良好に防止できるという効果がある。
また、グリッドメッシュの中に補強棒を入れたりして電子の流れを乱すこともなく、熱膨張変形によるグリッドメッシュの変形を良好に抑えることが可能である。
【図面の簡単な説明】
【００１４】
【図１】本発明の実施例に係る電子銃の電極部構造を示す断面図である。
【図２】実施例の電子銃の電極部のグリッドメッシュと補強板のロウ付け前の状態［図（Ａ）］とロウ付け後の状態［図（Ｂ）］を示す断面図である。
【図３】従来の電子銃の電極部構造を示す断面図である。
【発明を実施するための形態】
【００１５】
図１には、実施例の電子銃の電極部構造が示されており、この実施例でも、図３の場合と同様に、カソード６、このカソード６を加熱するヒータ８、これらカソード６とヒータ８を支持する熱遮蔽板９、この熱遮蔽板９を固定するスリーブ１０、グリッド保持リング１３、そしてこのグリッド保持リング１３を固定するグリッドサポート管１１が設けられる。
【００１６】
また、上記カソード６の前方に所定間隙を以って円盤状のグリッドメッシュ１が配置され、このグリッドメッシュ１の前面の周囲に、このグリッドメッシュ１を補強するための円環状の補強板１４が配置されており、これらグリッドメッシュ１と補強板１４は、ロウ材でロウ付けされてグリッドメッシュ構体１５となる。このグリッドメッシュ構体１５は、グリッド溶接リング１６と上記グリッド保持リング１３の突出部に挟まれる状態で固定され、これによって、実施例ではグリッドメッシュ構体１５が従来とは前後が逆に組み込まれた形となる。なお、グリッドメッシュ１の前方には図示していないアノードが配置される。
【００１７】
図２には、グリッドメッシュ構体１５のロウ付け［図（Ａ）はロウ付け前、図（Ｂ）はロウ付け後］の状態が示されており、図２（Ａ）に示すロウ材１８は、平面視で円環状であり、グリッドメッシュ１及び補強板１４と同心円状に配置される。また、このロウ材１８は、その断面の中心線（中心部径の位置）が補強板１４の断面の中心線（中心部径の位置）より内側になるように位置及び大きさが選択され、これによって、図２（Ｂ）のフィレット１８Ｆを形成している。
【００１８】
即ち、図２（Ａ）の状態から、治具等により、補強板１４をグリッドメッシュ１の前面に図の矢印の方向に押しつけ加熱すれば、ロウ材１８が溶けて押し潰されることで、両者が接合されると共に、図２（Ｂ）の裾広がり形のフィレット１８Ｆが形成される。このロウ材１８のフィレット１８Ｆは、図示されるように、グリッドメッシュ１の前面と補強板１４の内周面との間に形成され、外周面には形成されない。そのため、フィレット１８Ｆが冷えて固まると、グリッドメッシュ１には図２（Ｂ）の矢印で示す方向にモーメントが働く内部応力が残留する。
【００１９】
上記グリッドメッシュ１と補強板１４は、モリブデン製で同じ材質であるが、グリッドメッシュ１は補強板１４が付いている方より弱いため、図２で示す通りフィレット１８が冷えて固まると内部応力が働き、薄いグリッドメッシュ１が変形して前方にせり出す形状になる。この形状が形成されると、グリッドメッシュ１に熱が加わり熱膨張が発生しても、カソード６から離れる方向に動くため、グリッドメッシュ１とカソード６の接触がなくなる。
【００２０】
なお、上記ロウ材１８としては、金ロウ材が好ましく、その量は、ロウ付け後に形成されるフィレット１８Ｆのグリッドメッシュ１の主面（前面）から補強板１４の内周面に這い上がる高さがグリッドメッシュ１の厚さの略１〜１．５倍程度になるくらいの量が好適である。これにより、フィレット１８Ｆがその内部応力でグリッドメッシュ１をカソード６と離間する方向へ引き寄せるのに十分かつ離間し過ぎない程度に付勢することが可能となる。
また、グリッドメッシュ１と補強板１４のロウ付けの際、熱膨張による変形を防ぐため、補強板１４の材質をグリッドメッシュ１の材質と同じモリブデンにすることが望ましく、この補強板１４の厚さは、０．５ｍｍ程度で良好な結果が得られた。
【００２１】
以上のように、実施例では、グリッドメッシュ１の前面に補強板１４を配置し（グリッドメッシュ構体１５を従来とは逆さに組込み）、かつグリッドメッシュ１前面と補強板１４の内周面との間にフィレット１８Ｆを形成することにより、グリッドメッシュ１がカソード６から離間する方向へ内部応力（前方への付勢力）が残留し、この結果、グリッドメッシュ１主面（後面）は決してカソード６の前面に接触することがない。
【符号の説明】
【００２２】
１…グリッドメッシュ、    ２，１４…補強板、
３，１５…グリッドメッシュ構体、
４，１６…グリッド溶接リング、
５，１３…グリッド保持リング、
６…カソード、            ７…アノード、
１８…ロウ材、            １８Ｆ…フィレット。
【図１】
2015170478.tif 000003
【図２】
2015170478.tif 000004
【図３】
2015170478.tif 000005